(57)【要約】【課題】適用可能システムを限定することなく、外部の再生装置が再生可能な形式で視聴制限を掛けたコンテンツをネットワークを経由して提供する。【解決手段】コンテンツ記録再生部１５に蓄積された放送コンテンツを宅内ネットワーク１００を介してコンテンツ再生装置２００に配信すると共に、コンテンツ記録再生部１５に蓄積された放送コンテンツを視聴制限付き放送コンテンツと非視聴制限付き放送コンテンツに分類したコンテンツリストを生成し、当該コンテンツリストを宅内ネットワーク１００を介してコンテンツ再生装置２００に提供するサーバ１８と、視聴制限付き放送コンテンツおよび視聴制限付き放送コンテンツを含むコンテンツリストをパスワードを鍵としてスクランブルするスクランブラ１６を備える。【選択図】図１
2010087816.tif 000002
【特許請求の範囲】
【請求項１】
放送コンテンツを受信して再生および録画する放送受信装置において、
前記放送コンテンツを録画して蓄積する記憶部と、
前記記憶部に蓄積された放送コンテンツをネットワークを介して外部装置に配信すると共に、前記記憶部に蓄積された放送コンテンツを視聴制限付き放送コンテンツと非視聴制限付き放送コンテンツに分類したコンテンツリストを生成し、当該コンテンツリストを前記ネットワークを介して前記外部装置に提供するサーバと、
前記視聴制限付き放送コンテンツおよび前記視聴制限付き放送コンテンツを含むコンテンツリストをパスワードを鍵としてスクランブルするスクランブラとを備えることを特徴とする放送受信装置。
【請求項２】
放送コンテンツの番組情報を蓄積し、前記番組情報を参照してリアルタイムに受信中の放送コンテンツが視聴制限付き放送コンテンツであるか否か判定する番組情報管理部を備え、
サーバは、前記番組情報管理部から入力される判定結果に基づき、前記放送中のコンテンツのスクランブル指示を出力し、
スクランブラは、前記サーバから入力される前記スクランブル指示に基づき前記放送中のコンテンツをパスワードを鍵としてスクランブルし、ネットワークを介して外部装置に配信することを特徴とする請求項１記載の放送受信装置。
【請求項３】
パスワードは、生体情報に基づき構成されることを特徴とする請求項１または請求項２記載の放送受信装置。
【請求項４】
サーバは、ＤＬＮＡ（Ｄｉｇｉｔａｌ  Ｌｉｖｉｎｇ  Ｎｅｔｗｏｒｋ  Ａｌｌｉａｎｃｅ）に準拠したデジタルメディアサーバ（ＭＤＳ：Ｄｉｇｉｔａｌ Ｍｅｄｉａ Ｓｅｒｖｅｒ）であることを特徴とする請求項１から請求項３のうちのいずれか１項記載の放送受信装置。
【請求項５】
サーバは、視聴制限付き放送コンテンツを含むコンテンツリストのうち視聴制限に抵触するコンテンツリスト部分に、ＤＬＮＡに準拠した外部装置が認識不可能なＸＭＬタグを用いることを特徴とする請求項４記載の放送受信装置。
【発明の詳細な説明】
【技術分野】
【０００１】
この発明は、放送受信装置に関し、特に録画したコンテンツをネットワークを経由して外部の再生装置に提供する放送受信装置に関するものである。
【背景技術】
【０００２】
従来、ＢＳ放送やＣＳ放送などを受信して再生する放送受信装置は、番組情報に埋め込まれた視聴年齢制限のためのレーティング情報と、ユーザが放送受信装置に設定した年齢制限情報を照合し、視聴年齢を制限する機能が搭載されている。例えば、ユーザが放送受信装置に「１６才」という視聴年齢を設定していた場合、Ｒ−１８指定（１８才未満の視聴には不適切な表現が含まれるもの）のコンテンツを視聴しようとすると、パスワード入力が求められ、予めユーザが放送受信装置に設定したパスワードを正確に入力しないと視聴できないように制限を掛けている。
【０００３】
一方、近年ＤＬＮＡ（Ｄｉｇｉｔａｌ  Ｌｉｖｉｎｇ  Ｎｅｔｗｏｒｋ  Ａｌｌｉａｎｃｅ）などのホーム機器が発売され、前述の放送受信装置において録画した放送コンテンツを宅内ネットワークを経由して異なる場所に設置されたＤＬＮＡ対応の再生装置に提供し、この再生装置で再生することができる。特許請求の範囲および明細書に記載のＤＬＮＡは登録商標である。
【０００４】
しかし、視聴制限が掛けられていない通常のコンテンツをネットワークを経由して外部の再生装置に提供した場合には、再生装置において当該コンテンツを再生することができるが、視聴制限が掛けられたコンテンツを提供した場合には、再生装置において視聴制限を解除することができず、コンテンツを再生することができなかった。そのため、ＤＬＮＡなどによりネットワークを経由してコンテンツを共有できるシステムが普及しても、放送受信装置は視聴制限を掛けたコンテンツを外部の再生装置が再生可能な形式で提供することができなかった。
【０００５】
これらの対策として、例えば特許文献１に開示されているものがある。特許文献１のコンテンツ配信システムは、再生端末の設置場所に対応つけたユーザ毎の特性を表す個人情報を保持し管理するサーバを有し、コンテンツリストの内容から管理情報を生成する際に、該当する再生端末に対応つけられたユーザの個人情報をサーバから取得し、この個人情報を反映して管理情報として出力する情報に制限を加えるように構成し、利用しているユーザに応じた視聴制限を実施している。
【０００６】
【特許文献１】特開２００７−１５８４１４号公報
【発明の開示】
【発明が解決しようとする課題】
【０００７】
しかしながら、上述した特許文献１に開示された技術では、事前に登録したユーザが再生端末を利用することが前提となっており、適用可能システムがホテルなどのように部屋毎の登録を行う場合などに限定されるという課題があった。
【０００８】
この発明は、上記のような課題を解決するためになされたもので、適用可能システムを限定することなく、外部の再生装置が再生可能な形式で視聴制限を掛けたコンテンツをＤＬＮＡなどによりネットワークを経由して提供する放送受信装置を得ることを目的とする。
【課題を解決するための手段】
【０００９】
この発明に係る放送受信装置は、放送コンテンツを受信して再生および録画する放送受信装置において、前記放送コンテンツを録画して蓄積する記憶部と、前記記憶部に蓄積された前記放送コンテンツをネットワークを介して外部装置に配信すると共に、前記放送コンテンツを視聴制限付き放送コンテンツと非視聴制限付き放送コンテンツに分類したコンテンツリストを生成し、当該コンテンツリストを前記ネットワークを介して前記外部装置に提供するサーバと、前記視聴制限付き放送コンテンツおよび前記視聴制限付き放送コンテンツを含むコンテンツリストをパスワードを鍵としてスクランブルするスクランブラとを備えるものである。
【発明の効果】
【００１０】
この発明によれば、記憶部に蓄積された放送コンテンツをネットワークを介して外部装置に配信すると共に、記憶部に蓄積された放送コンテンツを視聴制限付き放送コンテンツと非視聴制限付き放送コンテンツに分類したコンテンツリストを生成し、当該コンテンツリストをネットワークを介して外部装置に提供するサーバと、視聴制限付き放送コンテンツおよび視聴制限付き放送コンテンツを含むコンテンツリストをパスワードを鍵としてスクランブルするスクランブラとを備えるように構成したので、適用可能システムを限定することなく、ＤＬＮＡなどによりネットワークを経由して外部装置が再生可能な形式で視聴制限の掛かったコンテンツを提供することができる。
【発明を実施するための最良の形態】
【００１１】
実施の形態１．
図１は、実施の形態１に係る放送受信装置の構成を示すブロック図である。
この放送受信装置１は、アンテナ２、チューナ３、デマルチプレクサ４、デコーダ５、音声処理部６、スピーカ７、グラフィックス処理部８、表示部９、番組情報管理部１０、リモコン１１、リモコン受信部１２、システム制御部１３、ユーザインタフェース部１４、コンテンツ記録再生部（記憶部）１５、スクランブラ１６、ネットワークインタフェース部１７、サーバ１８およびパスワード管理部１９で構成されている。また、この放送受信装置１は、宅内ネットワーク１００を介してコンテンツを再生するコンテンツ再生装置２００と接続されている。
【００１２】
アンテナ２は放送波を受信し、チューナ３はその放送波の中からユーザにより選択された番組が含まれているストリームを抽出する。デマルチプレクサ４は、チューナ３により抽出されたストリームから所望の番組の映像データおよび音声データであるコンテンツと番組情報を分離する。分離したコンテンツはデコーダ５に出力し、番組情報は番組情報管理部１０に出力される。デコーダ５は、映像データおよび音声データを復号化する。音声処理部６は復号後の音声データを音声信号に変換し、スピーカ７はその変換された音声信号を再生する。グラフィックス処理部８は、復号後の映像データと、ユーザインタフェース部１４から入力されるユーザインタフェースを統合し、表示部９において表示可能な形式に変換する。表示部９は、グラフィックス処理部８から入力される映像信号を表示する。
【００１３】
番組情報管理部１０は、デマルチプレクサ４において分離された全てのチャンネルの番組情報を一定期間保存して管理する。番組情報には、現在視聴中の番組コンテンツに関連する番組情報だけでなく、他の時間帯の番組情報や場合によっては他のチャンネルの番組情報も含まれる。これらの番組情報を整理して蓄積することにより、電子番組表（ＥＰＧ：Ｅｌｅｃｔｒｏｎｉｃｓ  Ｐｒｏｇｒａｍ  Ｇｕｉｄｅ）を構成する。また、この番組情報管理部１０で管理される番組情報の中には、各番組のチャンネル情報、番組名、放送時間、番組の説明、ジャンル、出演者などの情報と共に、視聴年齢制限に関する情報も含まれている。番組情報管理部１０は、この視聴年齢制限に関する情報に基づいて視聴年齢制限の掛かったコンテンツであるか否か判定することができる。
【００１４】
リモコン１１は、ユーザが放送受信装置１を制御する際の入力手段である。リモコン受信部１２は、リモコン１１からの入力信号を受信してシステム制御部１３に伝達する。システム制御部１３は、リモコン受信部１２から入力された入力信号をユーザインタフェース部１４に出力する。また、ユーザインタフェース部１４から入力される指示を受け、放送受信装置１全体の制御を行う。
【００１５】
ユーザインタフェース部１４は、ユーザが入力したリモコン信号を受け付け、保持する画面表示の状態に応じてシステム制御部１３を制御する。コンテンツ記録再生部１５は、ユーザが録画指定した放送コンテンツを記録して保存すると共に、録画および再生の制御を行う。スクランブラ１６は、コンテンツ記録再生部１５から取り出すコンテンツのうち視聴年齢制限の掛かったコンテンツをスクランブルすると共に、視聴年齢制限の掛かったコンテンツのリスト部分をスクランブルする。ネットワークインタフェース部１７は、コンテンツを宅内ネットワーク１００を介して接続されたコンテンツ再生装置２００に配信する。
【００１６】
サーバ１８は、宅内ネットワーク１００を介してコンテンツ再生装置２００からコマンドの入力を受け付けると共に、このコマンドに基づき録画コンテンツのリストや、録画コンテンツのコンテンツ再生装置２００への提供を制御する。パスワード管理部１９は、視聴年齢制限の掛けられたコンテンツを録画、再生、およびススクランブル処理する際のパスワードを管理する。
【００１７】
次に、放送受信装置１の動作について説明する。まず、放送受信装置１がコンテンツ記録再生部１５に記録された録画コンテンツを宅内ネットワーク１００を経由して配信し、コンテンツ再生装置２００がこの録画コンテンツをストリーミング受信しながら再生する場合について説明を行う。図２は、録画コンテンツを提供する放送受信装置の動作を示すフローチャートである。また、放送受信装置１およびコンテンツ再生装置２００はそれぞれＤＬＮＡ規格に準拠しているものとし、コンテンツ記録再生部１５には通常のコンテンツと視聴年齢制限の掛かったコンテンツがそれぞれ２つずつ録画されているものとする。
【００１８】
コンテンツ再生装置２００から宅内ネットワーク１００を介して、放送受信装置１のネットワークインタフェース部１７にコンテンツ記録再生部１５内に記録されているコンテンツのコンテンツリストの提供を要求するコンテンツリスト要求コマンド（ＤＬＮＡにおけるＢｒｏｗｓｅ）が入力される（ステップＳＴ１）。ネットワークインタフェース部１７は、このコンテンツリスト要求をサーバ１８に通知し、サーバ１８がコンテンツ記録再生部１５内に記録されているコンテンツのコンテンツ情報を取得する（ステップＳＴ２）。
【００１９】
サーバ１８は、ステップＳＴ２において取得したコンテンツ情報のうち、コンテンツと共に保存されているコンテンツ管理データを参照して視聴年齢制限の掛けられたコンテンツと視聴年齢制限の掛けられていないコンテンツを分類してコンテンツリストを作成し、このコンテンツリストをＸＭＬ（Ｅｘｔｅｎｓｉｂｌｅ  Ｍａｒｋｕｐ  Ｌａｎｇｕａｇｅ）文書化する（ステップＳＴ３）。
【００２０】
図３は、ＸＭＬ文書化したコンテンツリストの一例を示す説明図である。図３において、コンテンツ３０１およびコンテンツ３０２は視聴年齢制限の掛かってない録画コンテンツのＸＭＬ文書を示しており、コンテンツ３０３は視聴年齢制限の掛かっている２つの録画コンテンツのＸＭＬ文書を示している。コンテンツ３０１および３０２は、通常のＤＬＮＡ準拠のコンテンツ再生装置２００であれば解釈できるようにＸＭＬ文書化されている。一方、コンテンツ３０３は、通常のＤＬＮＡ準拠のコンテンツ再生装置２００では認識できないＸＭＬタグ「ｒａｔｉｎｇ  ｃｏｎｔｅｎｔ  ｌｉｓｔ」で囲まれている。
【００２１】
次に、サーバ１８はコンテンツリストに視聴年齢制限の掛かったコンテンツが含まれる場合、その視聴年齢制限の掛かったコンテンツリスト部分をスクランブラ１６に出力すると共に、パスワード管理部１９が保持している視聴年齢制限解除用パスワードを取得してスクランブラ１６に出力する（ステップＳＴ４）。スクランブラ１６は、視聴年齢制限解除用パスワードを鍵として視聴年齢制限の掛かったコンテンツリスト部分にスクランブルを掛けて容易には解読できない形式の記載に変換し、サーバ１８に返す（ステップＳＴ５）。サーバ１８は、スクランブル変換されたコンテンツリスト部分を１６進表現の文字列にし、ステップＳＴ３においてＸＭＬ文書化されたコンテンツリスト内に埋め込む（ステップＳＴ６）。
【００２２】
このようなスクランブル変換を行った後のコンテンツリストを図４に示す。視聴年齢制限の掛かったコンテンツ３０３のリスト部分がスクランブルされコンテンツ３０３´に示すような記載内容に変換される。その後、サーバ１８は、スクランブル変換後のコンテンツリストをネットワークインタフェース部１７および宅内ネットワーク１００を介してコンテンツ再生装置２００に出力する（ステップＳＴ７）。
【００２３】
ステップＳＴ７においてコンテンツリストを受信したコンテンツ再生装置２００が一般的なＤＬＮＡ対応のコンテンツ再生装置２００である場合、ＤＬＮＡ規格に準拠した通常のコンテンツリストだけを表示させることができ、視聴年齢制限の掛かったコンテンツリスト部分は表示させることができない。一方、コンテンツ再生装置２００が特別なＸＭＬタグ「ｒａｔｉｎｇ  ｃｏｎｔｅｎｔ  ｌｉｓｔ」を理解可能で、且つスクランブル解除に必要なデスクランブル機能を有し、スクランブルする際に使用したものと同一のパスワードを保有する場合には、このＸＭＬタグ「ｒａｔｉｎｇ  ｃｏｎｔｅｎｔ  ｌｉｓｔ」の内側に記述されスクランブル変換されたコンテンツリスト部分を正常にデスクランブルして表示することができる。
【００２４】
ここでは、コンテンツ再生装置２００が視聴年齢制限の掛かったコンテンツリストを表示することができ、表示したコンテンツリストから視聴年齢制限の掛かったコンテンツを選択したものとして説明する。コンテンツ再生装置２００から宅内ネットワーク１００を介して、放送受信装置１のネットワークインタフェース部１７に視聴年齢制限の掛かったコンテンツの再生要求コマンドが入力される（ステップＳＴ８）。ネットワークインタフェース部１７は、このコンテンツ再生要求をサーバ１８に通知し、サーバ１８がコンテンツ記録再生部１５内に記録されているコンテンツの中から再生要求に該当するコンテンツを取得する（ステップＳＴ９）。
【００２５】
サーバ１８は、ステップＳＴ９において取得したコンテンツをスクランブラ１６に出力すると共に、パスワード管理部１９が保持している視聴年齢制限解除用パスワードを取得してスクランブラ１６に出力する（ステップＳＴ１０）。スクランブラ１６は、視聴年齢制限解除用パスワードを鍵として視聴年齢制限の掛かったコンテンツにスクランブルを掛けて容易には解読できない形式の記載に変換し、サーバ１８に出力する（ステップＳＴ１１）。サーバ１８は、スクランブル変換後のコンテンツをネットワークインタフェース部１７および宅内ネットワーク１００を介してコンテンツ再生装置２００に出力する（ステップＳＴ１２）。
【００２６】
視聴年齢制限の掛かったコンテンツリストを表示することができたコンテンツ再生装置２００であれば、スクランブルされたコンテンツをデスクランブル可能なデスクランブラを有し、さらにスクランブルに用いられたパスワードも既知であることから、コンテンツを正常にデスクランブルして視聴することができる。
【００２７】
次に、放送コンテンツをリアルタイムにコンテンツ再生装置２００にストリーム配信する場合について説明する。図５は、放送コンテンツをリアルタイムに提供する放送受信装置の動作を示すフローチャートである。
コンテンツ再生装置２００から宅内ネットワーク１００を介して、放送受信装置１のネットワークインタフェース部１７に現在放送中のコンテンツの配信を要求する放送中コンテンツ配信要求コマンドが入力される（ステップＳＴ２１）。ネットワークインタフェース部１７は、この放送中コンテンツ配信要求をサーバ１８に通知し、サーバ１８は番組情報管理部１０にこの放送中コンテンツについて問い合わせを行う（ステップＳＴ２２）。
【００２８】
ステップＳＴ２２において問い合わせを受けた番組情報管理部１０は、蓄積している番組情報に基づいて放送中コンテンツが視聴年齢制限の掛かったコンテンツであるか否か判定を行い、判定結果をサーバ１８に返す（ステップＳＴ２３）。サーバ１８は、デマルチプレクサ４に対して、該当する放送中コンテンツをスクランブラ１６に出力するように指示する（ステップＳＴ２４）。
【００２９】
さらにサーバ１８は、ステップＳＴ２３において番組情報管理部１０から放送中コンテンツに視聴年齢制限が掛けられているとの判定結果を受け取っていた場合には、スクランブラ１６に対してパスワード管理部１９から取得した視聴年齢制限解除用パスワードを出力し、スクランブルを掛けるように指示する（ステップＳＴ２５）。スクランブラ１６は、ステップＳＴ２５において入力された視聴年齢制限解除用パスワードを鍵としてスクランブルを実行し（ステップＳＴ２６）、スクランブル後の放送中コンテンツをネットワークインタフェース部１７および宅内ネットワーク１００を介してコンテンツ再生装置２００に出力する（ステップＳＴ２７）。
【００３０】
一方、ステップＳＴ２３において番組情報管理部１０から放送中コンテンツに視聴年齢制限が掛けられていないとの判定結果を受け取っていた場合には、スクランブラ１６に対してスクランブルの実行指示は出力されず、放送中コンテンツがそのままネットワークインタフェース部１７および宅内ネットワーク１００を介してコンテンツ再生装置２００に出力される（ステップＳＴ２８）。
【００３１】
以上のように、この実施の形態１によれば、一般のＤＬＮＡに準拠したコンテンツ再生装置では理解できないＸＭＬタグを用いて視聴年齢制限の掛かったコンテンツを含むコンテンツリストを作成し、視聴年齢制限の掛かったコンテンツを所定のパスワードを用いてスクランブルして配信するように構成したので、一般のＤＬＮＡに準拠したコンテンツ再生装置では視聴年齢制限の掛かったコンテンツリストの表示やコンテンツの再生を行うことができず、視聴制限機能を有効に維持することができる。一方、専用のＸＭＬタグを理解し、スクランブル解除方法とパスワードを知っているコンテンツ再生装置のみがコンテンツリストの表示およびコンテンツの再生を実行可能に構成することができる。
【００３２】
なお、上記実施の形態１では、コンテンツリストおよびコンテンツのスクランブルに用いる認証情報としてパスワードを用いる構成を示したが、指紋読取装置などを追加して設け、認証情報として指紋などの生体情報を用いるように構成してもよい。
【図面の簡単な説明】
【００３３】
【図１】実施の形態１に係る放送受信装置の構成を示すブロック図である。
【図２】実施の形態１に係る放送受信装置の動作を示すフローチャートである。
【図３】実施の形態１に係るコンテンツリストのＸＭＬ文書例を示す図である。
【図４】実施の形態１に係るコンテンツリストのＸＭＬ文書例を示す図である。
【図５】実施の形態１に係る放送受信装置の動作を示すフローチャートである。
【符号の説明】
【００３４】
１  放送受信装置、２  アンテナ、３  チューナ、４  デマルチプレクサ、５  デコーダ、６  音声処理部、７  スピーカ、８  グラフィックス処理部、９  表示部、１０  番組情報管理部、１１  リモコン、１２  リモコン受信部、１３  システム制御部、１４  ユーザインタフェース部、１５  コンテンツ記録再生部、１６  スクランブラ、１７  ネットワークインタフェース部、１８  サーバ、１９  パスワード管理部、１００  宅内ネットワーク、２００  コンテンツ再生装置。
【図１】
2010087816.tif 000003
【図２】
2010087816.tif 000004
【図３】
2010087816.tif 000005
【図４】
2010087816.tif 000006
【図５】
2010087816.tif 000007